(57)【要約】【課題】  セラミックフィルタの落下を効果的に防止できるセラミックフィルタ用リテーナと隔壁型式集塵装置を提供する。【解決手段】    稼働時にセラミックフィルタ１３の突出部１３ｂ付近に外的要因が生じ、セラミックフィルタ１３が落下すると、セラミックフィルタ１３がセラミックフィルタ用リテーナ１１の複数の縦線材２５の端部２５ａによって保持され、それより下方には落下しない。また、セラミックフィルタ用リテーナ１１では、セラミックフィルタ１３が落下しても、直立した姿勢を保持できるため、フィルタとしての機能も発揮できる。セラミックフィルタ１３のみを容易に交換できる。【選択図】図２
2016112499.tif 000002
【特許請求の範囲】
【請求項１】
排ガス通気路内に設置され、排ガスに含有される所定の物質を含む複数の微粒子状物質の一部を濾材によって除去するセラミックフィルタを内側に収容した状態で、前記セラミックフィルタを設置時に保護し、前記セラミックフィルタが外的要因により落下した時の水平方向及び下方向の移動を規制する収容空間を有し、
前記収容空間外からの前記排ガスを前記セラミックフィルタに通す
セラミックフィルタ用リテーナ。
【請求項２】
金属線で環状に形成され所定間隔をあけて複数本配置された固定リングと、
前記固定リングに接合された複数本の縦線材と
を有し、
前記複数本の縦線材の下方側の端部は、前記セラミックフィルタ用リテーナの長手方向に延びる中心軸に向けて折れ曲がり、前記セラミックフィルタの下方向への移動を規制する
請求項１に記載のセラミックフィルタ用リテーナ。
【請求項３】
隔壁型式集塵装置に、シール材を介して固定される
請求項１に記載のセラミックフィルタ用リテーナ。
【請求項４】
排ガス通気路内に設置され、排ガスに含有される所定の物質を含む複数の微粒子状物質の一部を濾材によって除去する中空形状をしたセラミックフィルタと、
前記セラミックフィルタを内側に収容した状態で、前記セラミックフィルタを設置時に保護し、前記セラミックフィルタが外的要因により落下した時の水平方向及び下方向の移動を規制する収容空間を有し、前記収容空間外からの前記排ガスを前記セラミックフィルタに通すセラミックフィルタ用リテーナと、
取付け部と前記セラミックフィルタとの間に介在する第１のシール材と、
前記セラミックフィルタと前記セラミックフィルタ用リテーナとの間に介在する第２のシール材と
を有し、
押さえ部による前記セラミックフィルタに向けた押圧力によって前記セラミックフィルタの中空部と外側との間の密閉状態が保たれる
隔壁型式集塵装置。
【請求項５】
前記セラミックフィルタの濾材はセラミック製である
請求項４に記載の隔壁型式集塵装置。
【発明の詳細な説明】
【技術分野】
【０００１】
本発明は、隔壁型式集塵装置に用いられるセラミックフィルタ用リテーナと隔壁型式集塵装置に関するものである。
【背景技術】
【０００２】
近代社会においては、下水汚泥焼却炉、都市ごみ等のごみ焼却炉、産業廃棄物焼却炉、金属製錬設備等から排出されるガス中の煤塵、有毒ガス等を除去して快適な生活環境を構築することが望まれ、排ガス処理の研究、開発がなされ、種々提案されている。
そのような排ガス処理設備の中に隔壁型式集塵装置がある。この隔壁型式集塵装置は、捕集煤塵量が少ない初期段階以外は、煤塵は隔壁外面に分離され、捕集体上に堆積する。集塵率は粒子径によらず非常に高いが、捕集体における圧力損失は時間と共に増加するので、適当な間隔で堆積煤塵を除去して、連続運転を維持する。堆積煤塵を除去する方法として圧縮空気を濾材上部から内面に瞬時に吹き込み外面に堆積した煤塵を振るい落とす、パルスジェット形を備えたものが広く知られている。
産業用集塵装置として広く用いられている装置であり、隔壁型式集塵装置のうち、バグフィルタでは、濾材として木綿等の植物繊維や、各種の合成繊維を使用した濾布が使用されている。しかしながら、濾布を使用するバグフィルタでは使用温度に限界がある。それを克服した、低温から高温の条件に対応できる濾材としてはセラミックフィルタが近年知られている。
【発明の概要】
【発明が解決しようとする課題】
【０００３】
しかしながら、セラミックフィルタは、強度はあるが脆く、製造過程等の都合により製品の長さに制限があるため、同一ガス条件下ではバグフィルタより濾材の使用本数が多くなる。また、設置時における移送振動や運転時のパルスジェット圧力・地震等の外的要因により破損して落下しないように強度を持たせる必要があり、設置時における取扱いだけでなく、使用する際にも様々な制限が設けられている。
【０００４】
本発明はかかる事情に鑑みてなされたものであり、その目的は、セラミックフィルタの落下を効果的に防止できるセラミックフィルタ用リテーナと隔壁型式集塵装置を提供することにある。
【課題を解決するための手段】
【０００５】
上述した従来技術の問題点を解決し、上述した目的を達成するために、本発明のセラミックフィルタ用リテーナは、排ガス通気路内に設置され、排ガスに含有される所定の物質を含む複数の微粒子状物質の一部を濾材によって除去するセラミックフィルタを内側に収容した状態で、前記セラミックフィルタを設置時に保護し、前記セラミックフィルタが外的要因により落下した時の水平方向及び下方向の移動を規制する収容空間を有し、前記収容空間外からの前記排ガスを前記セラミックフィルタに通す。
【０００６】
本発明のセラミックフィルタ用リテーナでは、セラミックフィルタの外側にセラミックフィルタ用リテーナを固定したことで、セラミックフィルタが破損しても、セラミックフィルタがセラミックフィルタ用リテーナによって保持され、セラミックフィルタ用リテーナが下方まで落下することを防止できる。
また、本発明のセラミックフィルタ用リテーナでは、設置時におけるセラミックフィルタのガイドの役目を果たし周囲のセラミックフィルタの接触を防止し、損傷することを防止できる。
【０００７】
好適には、本発明のセラミックフィルタ用リテーナは、金属線で環状に形成され所定間隔をあけて複数本配置された固定リングと、前記固定リングに接合された複数本の縦線材と
を有し、前記複数本の縦線材の下方側の端部は、前記セラミックフィルタ用リテーナの長手方向に延びる中心軸に向けて折れ曲がり、前記セラミックフィルタの下方向への移動を規制する。
【０００８】
好適には、本発明のセラミックフィルタ用リテーナは、隔壁型式集塵装置に、シール材を介して固定される。
【０００９】
本発明の隔壁型式集塵装置は、排ガス通気路内に設置され、排ガスに含有される所定の物質を含む複数の微粒子状物質の一部を濾材によって除去する中空形状をしたセラミックフィルタと、前記セラミックフィルタを内側に収容した状態で、前記セラミックフィルタを設置時に保護し、前記セラミックフィルタが外的要因により落下した時の水平方向及び下方向の移動を規制する収容空間を有し、前記収容空間外からの前記排ガスを前記セラミックフィルタに通すセラミックフィルタ用リテーナと、取付け部と前記セラミックフィルタとの間に介在する第１のシール材と、前記セラミックフィルタと前記セラミックフィルタ用リテーナとの間に介在する第２のシール材とを有し、押さえ部による前記セラミックフィルタに向けた押圧力によって前記セラミックフィルタの中空部と外側との間の密閉状態が保たれる。
【００１０】
好適には、本発明の隔壁型式集塵装置の前記セラミックフィルタの濾材はセラミック製である。
【発明の効果】
【００１１】
本発明によれば、セラミックフィルタの落下を効果的に防止できるセラミックフィルタ用リテーナと隔壁型式集塵装置を提供することができる。
【図面の簡単な説明】
【００１２】
【図１】図１は、本発明の実施形態に係るセラミックフィルタ用リテーナの外観図である。
【図２】図２は、セラミックフィルタにセラミックフィルタ用リテーナを装着した状態（非稼働時）の概略断面図である。
【発明を実施するための形態】
【００１３】
以下、本発明の実施形態に係る隔壁型式集塵装置について説明する。
【００１４】
図１は、本発明の実施形態に係るセラミックフィルタ用リテーナ１１の外観図である。図２は、セラミックフィルタ１３にセラミックフィルタ用リテーナ１１を装着した状態（非稼働時）の概略断面図である。
【００１５】
セラミックフィルタ用リテーナ１１及びセラミックフィルタ１３は、隔壁型式集塵装置の取付け部４３に着脱可能な状態で固定される。
セラミックフィルタ１３は、排ガス通気路内に設置され、排ガスに含有される複数の微粒子状物質の一部を濾材によって除去するために用いられる。排ガスは、図２に示す矢印Ａの向きに、図中下方から上方に向けて流れる。
【００１６】
リテーナフランジ２１は、例えば、ステンレスなどの剛性を有する材料によって形成される。
図１に示すように、セラミックフィルタ用リテーナ１１は、環状のリテーナフランジ２１と、金属線で環状に形成され所定間隔をあけて複数本配置された固定リング２３と、固定リング２３の外側に接合された複数本の縦線材２５とで構成される。
リテーナフランジ２１と縦線材２５との間、並びに固定リング２３と縦線材２５との間はスポット溶接等で接合されている。
隣合う固定リング２３の間の間隔、並びに隣合う縦線材２５の間隔は、排ガスの通気を妨げないように選ばれる。
【００１７】
縦線材２５のリテーナフランジ２１と反対側の先端２５ａは、内側に向けて屈曲している。複数の縦線材２５の下方側の端部２５ａは、長手方向に延びる中心軸に向けて折れ曲がり、セラミックフィルタ１３の下方向への移動を規制する。すなわち、セラミックフィルタ１３は、落下しても、縦線材２５の端部２５ａによって保持され、それ以上下方に落下しない。
また、セラミックフィルタ１３が落下した場合でも、縦線材２５によってセラミックフィルタ１３の姿勢が垂直に保持される。
【００１８】
セラミックフィルタ１３の開口部３３付近は、外側に向けて突き出た環状の突出部１３ｂを有する。
セラミックフィルタ用リテーナ１１のリテーナフランジ２１は、シール材５１を介して取付け部４３に固定されている。
セラミックフィルタ１３の突出部１３ｂは、シール材５３を介してリテーナフランジ２１に固定されている。
【００１９】
隔壁型式集塵装置では、上方に押さえ板４１を有し、押さえ板４１が取付けボルト４７によってリテーナフランジ２１に向けて付勢された状態で取付け部４３に固定される。これにより、セラミックフィルタ用リテーナ１１及びセラミックフィルタ１３が隔壁型式集塵装置に安定した状態で固定される。すなわち、押さえ板４１がセラミックフィルタ１３に向けて押圧されることで、シール材５１，５３によって、セラミックフィルタ１３の中空部３１と外側とが密閉される。
【００２０】
以下、セラミックフィルタ用リテーナ１１の作用を説明する。
［稼働時］
稼働時にセラミックフィルタ１３の突出部１３ｂ付近に外的要因が生じ、セラミックフィルタ１３が落下すると、セラミックフィルタ１３がセラミックフィルタ用リテーナ１１の複数の縦線材２５の端部２５ａによって保持され、それより下方には落下しない。
また、セラミックフィルタ用リテーナ１１では、セラミックフィルタ１３が落下しても、直立した姿勢を保持できるため、フィルタとしての機能も発揮できる。
【００２１】
［交換時］
セラミックフィルタ１３の交換は、隔壁型式集塵装置の非稼働時に行う。
取付けボルト４７を緩めて、押さえ板４１を取付け部４３から取り外す。
そして、ベンチュリーノズル４９及びセラミックフィルタ１３を順に取り出す。
次に、新たなセラミックフィルタ１３をセラミックフィルタ用リテーナ１１の収容空間に入れ、セラミックフィルタ１３の突出部１３ｂに押さえ板４１を置き、取付けボルト４７を締めてセラミックフィルタ用リテーナ１１及びセラミックフィルタ１３を取付け部４３に固定する。これにより、セラミックフィルタ１３のみを容易に交換できる。
【００２２】
以上説明したように、セラミックフィルタ用リテーナ１１によれば、セラミックフィルタ１３の外側にセラミックフィルタ用リテーナ１１を固定したことで、セラミックフィルタ１３が破損しても、セラミックフィルタ１３がセラミックフィルタ用リテーナ１１によって保持され、セラミックフィルタ用リテーナ１１が下方まで落下することを防止できる。
すなわち、破損しやすいセラミックフィルタ１３が脱落落下することにより、排ガス処理設備の煤塵排出装置をその破片で詰まらせることや、正常なセラミックフィルタに接触し、連鎖破壊をきたすことを防止できる。
【００２３】
また、セラミックフィルタ用リテーナ１１によれば、設置時におけるセラミックフィルタ１３のガイドの役目を果たし周囲のセラミックフィルタ１３の接触を防止し、損傷することを防止できる。
また、セラミックフィルタ用リテーナ１１により、セラミックフィルタ１３の補強効果や脱落落下時に破損箇所の隙間が少ない状態となる為、破損箇所からの排ガスのリーク量低減、運搬時の水平支持によるたわみの軽減、運搬時のセラミックフィルタ１３の接触による損傷の防止等の副次的効果も見込まれる。
【００２４】
また、セラミックフィルタ１３における圧力損失は時間と共に増加するので、パルスジェットにより、適当な間隔で堆積煤塵を除去して、連続運転を維持する。パルスジェットは、圧縮空気を濾材上部から内面に瞬時に吹き込み外面に堆積した煤塵を振るい落とすが、本実施形態によればパルスジェットにより、セラミックフィルタ１３が落下した場合でも、セラミックフィルタ用リテーナ１１によってセラミックフィルタ１３を保持できる。
【００２５】
また、本実施形態では、セラミックフィルタ用リテーナ１１では、セラミックフィルタ１３が落下しても、直立した姿勢を保持できるため、フィルタとしての機能を継続して発揮できる。
また、セラミックフィルタ用リテーナ１１は、セラミックフィルタ１３を設置時に保護する。
【００２６】
本実施形態では、セラミックフィルタ１３は、セラミックフィルタ用リテーナ１１に着脱自在に保持されるので、セラミックフィルタ１３の交換時に、セラミックフィルタ用リテーナ１１を交換することなく、セラミックフィルタ１３のみを交換することができる。そのため、交換部品を最小限とすることができ、ランニングコストを低減することができる。
【００２７】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【００２８】
上述した図１及び図２に示すセラミックフィルタ用リテーナ１１の形状は一例であり、固定リング２３及び縦線材２５の数は所望の強度を満たす範囲において任意に変更可能である。
また、セラミックフィルタ１３の形状も任意である。
また、セラミックフィルタ用リテーナ１１の材質も任意である。
【産業上の利用可能性】
【００２９】
本発明は、隔壁型式集塵装置に適用可能である。
【符号の説明】
【００３０】
１１…セラミックフィルタ用リテーナ
１３…セラミックフィルタ
３１…中空部
４１…押さえ板
４３…取付け部
４７…取付けボルト
５１…シール材
５３…シール材
【図１】
2016112499.tif 000003
【図２】
2016112499.tif 000004